(57)【要約】【課題】被検出物でない窓部を検出して被検出物有りとする誤検出の発生を防止する光検出半導体装置を提供する。【解決手段】発光素子１０２から発光された出射光が窓部１０９で反射されて不要な反射光Ｌ２が生成されても、この不要な反射光Ｌ２は、発光側偏光素子１０７によって、受光素子１０３に受光され難くなる。一方、受光素子１０３は、受光側偏光素子１１０によって、発光素子１０２から発光された出射光が被検出物４２０で反射されて生成される反射光Ｌ１を受光する。【選択図】図１Ａ
2012253127.tif 000002
【特許請求の範囲】
【請求項１】
出射光を前方に発光する発光素子と、
上記発光素子から発光された上記出射光が被検出物で反射されて生成される反射光を前方から受光する受光素子と、
上記発光素子および上記受光素子のうちの少なくとも上記受光素子の前方に配置されると共に、特定の偏光方向を有する光を通過させる偏光手段と、
上記偏光手段の前方に上記偏光手段と間隔をあけて配置されると共に、上記出射光および上記反射光を透過する窓部と、
上記受光素子の受光量に基づいて上記被検出物の有無を判断する判断部と
を備え、
上記偏光手段は、
上記受光素子が、上記発光素子から発光された上記出射光が上記窓部で反射されて生成される不要な反射光を、受光することを抑制しつつ、
上記受光素子が、上記発光素子から発光された上記出射光が上記被検出物で反射されて生成される上記反射光を受光するように、構成されていることを特徴とする光検出半導体装置。
【請求項２】
請求項１に記載の光検出半導体装置において、
上記偏光手段は、
上記発光素子の前方に配置された発光側偏光素子と、
上記受光素子の前方に配置されると共に、上記発光側偏光素子の偏光軸と異なる偏光軸を有する受光側偏光素子と
を備えることを特徴とする光検出半導体装置。
【請求項３】
請求項２に記載の光検出半導体装置において、
上記発光側偏光素子および上記受光側偏光素子の少なくとも一方の偏光素子は、吸収型偏光素子であることを特徴とする光検出半導体装置。
【請求項４】
請求項２または３に記載の光検出半導体装置において、
上記発光側偏光素子および上記受光側偏光素子の少なくとも一方の偏光素子は、液晶フィルタから構成されていることを特徴とする光検出半導体装置。
【請求項５】
請求項１に記載の光検出半導体装置において、
上記偏光手段は、上記受光素子の前方に配置される受光側偏光素子を備えることを特徴とする光検出半導体装置。
【請求項６】
ケーシングと、
上記ケーシングの一面側のパネルに取り付けられると共に、タッチパネル機能を有する画面部と、
上記ケーシングの上記一面側のパネルに取り付けられると共に、上記画面部を挟んで両側に配置されるマイク部およびイヤホン部と、
上記ケーシングに取り付けられる請求項１から５の何れか一つに記載の上記光検出半導体装置と、
上記ケーシングに取り付けられると共に、上記光検出半導体装置によって上記被検出物が有りと判断されたときに、上記画面部のタッチパネル機能を停止する制御部と
を備え、
上記光検出半導体装置の上記発光素子、上記受光素子、上記偏光手段および上記判断部は、上記ケーシング内に、配置され、
上記光検出半導体装置の上記窓部は、上記ケーシングの上記一面側のパネルに取り付けられていることを特徴とする携帯端末装置。
【請求項７】
請求項１から５の何れか一つに記載の上記光検出半導体装置を備えることを特徴とする電子機器。
【発明の詳細な説明】
【技術分野】
【０００１】
この発明は、例えば、受光素子および発光素子を有して被検出物の有無を検出する光検出半導体装置、この光検出半導体装置を有する携帯端末装置、および、この光検出半導体装置を有する電子機器に関する。
【背景技術】
【０００２】
従来、光検出半導体装置としては、発光素子と、この発光素子から出射され被検出物で反射された反射光を受光する受光素子とを備え、被検出物の測距を行うものがある（特開平８−２７１２４６号公報：特許文献１参照）。
【０００３】
上記被検出物は、被検出物本体と、この被検出物本体の発光素子からの照射面側に設けられた透光性の鏡面反射部とを有しており、被検出物に光が照射されたとき、被検出物本体で反射される乱反射光と、鏡面反射部で反射される鏡面反射光とが、同時に発生していた。
【０００４】
そして、上記従来の光検出半導体装置では、上記鏡面反射部で反射される鏡面反射光を排除して、上記被検出物本体で反射される乱反射光を上記受光素子にて受光するように、構成されていた。
【０００５】
このように、上記従来の光検出半導体装置では、上記被検出物それ自体からの不要な鏡面反射光を排除していた。
【先行技術文献】
【特許文献】
【０００６】
【特許文献１】特開平８−２７１２４６号公報
【発明の概要】
【発明が解決しようとする課題】
【０００７】
近年、携帯電話などに代表される画面付きモバイル機器（携帯端末装置）が広く利用されている。モバイル機器には、電池寿命を延長して利便性を高めることが求められている。例えば、通話中は携帯電話の画面を見ることがないため、液晶バックライトを消灯させ、液晶パネルの消費電力を減少させることにより、バッテリを長時間持たせることが可能となっている。
【０００８】
さらに、近年の携帯電話では、タッチパネル機能付き画面が採用され、入力ヒューマンインターフェースが向上されている。しかし、タッチパネル機能付きの携帯電話では、通話中にタッチパネル機能が人の肌を検出することがあり、タッチパネル機能が誤作動する問題が生じる恐れがある。
【０００９】
このような背景から、被検出物としての人の肌（主に頬）を検出し、画面の点灯、消灯を自動調整するための近接センサを搭載することが求められている。被検出物を検出する機能に対しては、光学式センサを適用することが可能であり、光学式で小型の物体検出センサが提案されている。
【００１０】
しかしながら、携帯電話に光学式センサを搭載すると新たな課題が生じることを、本願の発明者は見出した。この新たな課題について図５を用いて説明する。
【００１１】
図５に示すように、上記光学式センサは、実装基板４０１と、この実装基板４０１に実装された発光素子４０２、受光素子４０３およびＩＣ４０４と、上記発光素子４０２および上記受光素子４０３を封止する透光性の透光樹脂部４０５と、上記ＩＣ４０４を封止する遮光性の遮光樹脂部４０６と、上記透光樹脂部４０５および上記遮光樹脂部４０６と間隔をあけて配置される透光性の窓部４０９とを有する。この窓部４０９は、携帯電話の本体を構成するパネル４０８に、取り付けられる。
【００１２】
そして、上記発光素子４０２を発光させて、人の肌（主に頬）の被検出物４２０からの反射光を受光素子４０３で検出し、受光素子４０３の受光量が予め設定した閾値を越えるか否かで、被検出物の有無を判断する。
【００１３】
このとき、本来検知すべき被検出物４２０からの反射光よりも、窓部４０９からの反射光が強くなる場合があり、被検出物でない窓部４０９を検出して被検出物有りと判断する誤検知の発生が問題となっている。
【００１４】
つまり、上記発光素子４０２および上記受光素子４０３を、上記窓部４０９（上記パネル４０８）内に、配置したとき、窓部４０９からの不要な反射光が、受光素子４０３に、受光される問題がある。
【００１５】
そして、上記従来の光検出半導体装置としては、上記特許文献１に示すように、被検出物からの不要な反射光を排除するものがあったが、発光素子および受光素子を窓部内に配置して、被検出物からの不要な反射光でなく、窓部からの不要な反射光を排除するものは、なかった。
【００１６】
そこで、この発明の課題は、被検出物でない窓部を検出して被検出物有りとする誤検出の発生を防止する光検出半導体装置、および、光検出半導体装置を有する携帯端末装置を提供することにある。
【課題を解決するための手段】
【００１７】
上記課題を解決するため、この発明の光検出半導体装置は、
出射光を前方に発光する発光素子と、
上記発光素子から発光された上記出射光が被検出物で反射されて生成される反射光を前方から受光する受光素子と、
上記発光素子および上記受光素子のうちの少なくとも上記受光素子の前方に配置されると共に、特定の偏光方向を有する光を通過させる偏光手段と、
上記偏光手段の前方に上記偏光手段と間隔をあけて配置されると共に、上記出射光および上記反射光を透過する窓部と、
上記受光素子の受光量に基づいて上記被検出物の有無を判断する判断部と
を備え、
上記偏光手段は、
上記受光素子が、上記発光素子から発光された上記出射光が上記窓部で反射されて生成される不要な反射光を、受光することを抑制しつつ、
上記受光素子が、上記発光素子から発光された上記出射光が上記被検出物で反射されて生成される上記反射光を受光するように、構成されていることを特徴としている。
【００１８】
この発明の光検出半導体装置によれば、上記発光素子から発光された上記出射光が上記窓部で反射されて不要な反射光が生成されても、この不要な反射光は、上記偏光手段によって、受光素子に受光され難くなる。これによって、不要な反射光に対する受光素子の受光量を低減できる。
【００１９】
一方、上記受光素子は、上記偏光手段によって、上記発光素子から発光された上記出射光が上記被検出物で反射されて生成される上記反射光を受光して、必要な反射光に対する受光素子の受光量を維持できる。
【００２０】
したがって、上記判断部は、不要な反射光でなく必要な反射光に対する上記受光素子の受光量に基づいて、上記被検出物の有無を正確に判断することができる。このように、被検出物でない窓部を検出して被検出物有りとする誤検出の発生を防止する。
【００２１】
また、一実施形態の光検出半導体装置では、
上記偏光手段は、
上記発光素子の前方に配置された発光側偏光素子と、
上記受光素子の前方に配置されると共に、上記発光側偏光素子の偏光軸と異なる偏光軸を有する受光側偏光素子と
を備える。
【００２２】
この実施形態の光検出半導体装置によれば、上記偏光手段は、上記発光側偏光素子と上記受光側偏光素子とを備えるので、２つの偏光素子によって、窓部から反射される不要な反射光と、被検出物で反射される必要な反射光とを、一層明確に区別できる。したがって、窓部を被検出物として検出する誤検出の発生を一層確実に防止できる。
【００２３】
また、一実施形態の光検出半導体装置では、上記発光側偏光素子および上記受光側偏光素子の少なくとも一方の偏光素子は、吸収型偏光素子である。
【００２４】
この実施形態の光検出半導体装置によれば、上記発光側偏光素子および上記受光側偏光素子の少なくとも一方の偏光素子は、吸収型偏光素子であるので、偏光素子を小型、軽量、安価とできる。
【００２５】
また、一実施形態の光検出半導体装置では、上記発光側偏光素子および上記受光側偏光素子の少なくとも一方の偏光素子は、液晶フィルタから構成されている。
【００２６】
この実施形態の光検出半導体装置によれば、上記発光側偏光素子および上記受光側偏光素子の少なくとも一方の偏光素子は、液晶フィルタから構成されているので、規則的に配列した液晶分子に電場をかけることによって、特定の偏光方向を有する光を通過させる。
【００２７】
また、一実施形態の光検出半導体装置では、上記偏光手段は、上記受光素子の前方に配置される受光側偏光素子を備える。
【００２８】
この実施形態の光検出半導体装置によれば、上記偏光手段は、上記受光側偏光素子を備えるので、１つの偏光素子によって、窓部から反射される不要な反射光と、被検出物で反射される必要な反射光とを、区別する。したがって、偏光素子の数量を低減できて、装置の小型化および製造コストの低減を図ることができる。
【００２９】
また、一実施形態の携帯端末装置では、
ケーシングと、
上記ケーシングの一面側のパネルに取り付けられると共に、タッチパネル機能を有する画面部と、
上記ケーシングの上記一面側のパネルに取り付けられると共に、上記画面部を挟んで両側に配置されるマイク部およびイヤホン部と、
上記ケーシングに取り付けられる上記光検出半導体装置と、
上記ケーシングに取り付けられると共に、上記光検出半導体装置によって上記被検出物が有りと判断されたときに、上記画面部のタッチパネル機能を停止する制御部と
を備え、
上記光検出半導体装置の上記発光素子、上記受光素子、上記偏光手段および上記判断部は、上記ケーシング内に、配置され、
上記光検出半導体装置の上記窓部は、上記ケーシングの上記一面側のパネルに取り付けられている。
【００３０】
この実施形態の携帯端末装置によれば、上記光検出半導体装置と上記制御部とを備えるので、この携帯端末装置にて通話するとき、光検出半導体装置は、被検出物としての人の肌（主に頬）を正確に検出し、光検出半導体装置によって被検出物が有りと判断されたときに、制御部は、画面部のタッチパネル機能を停止する。
【００３１】
これによって、通話中に画面部に頬が接触しても、画面部のタッチパネル機能は、頬の接触によって反応することがなく、タッチパネル機能が誤作動する問題を防止する。
【００３２】
また、一実施形態の電子機器では、上記光検出半導体装置を備える。
【００３３】
この実施形態の電子機器によれば、上記光検出半導体装置を備えるので、光検出半導体装置によって人の肌などの被検出物を正確に検出して、機器の表示などを制御することに活用できる。
【発明の効果】
【００３４】
この発明の光検出半導体装置によれば、上記偏光手段は、上記受光素子が、上記発光素子から発光された上記出射光が上記窓部で反射されて生成される不要な反射光を、受光することを抑制しつつ、上記受光素子が、上記発光素子から発光された上記出射光が上記被検出物で反射されて生成される上記反射光を受光するように、構成されているので、被検出物でない窓部を検出して被検出物有りとする誤検出の発生を防止する。
【００３５】
この発明の携帯端末装置によれば、上記光検出半導体装置と上記制御部とを備えるので、通話中に画面部のタッチパネル機能が人の肌を検出することを防止して、タッチパネル機能が誤作動する問題を防止する。
【図面の簡単な説明】
【００３６】
【図１Ａ】本発明の光検出半導体装置の第１実施形態を示す断面図である。
【図１Ｂ】光検出半導体装置の平面図である。
【図２】本発明の光検出半導体装置の第２実施形態を示す断面図である。
【図３】本発明の光検出半導体装置の第３実施形態を示す縦断面図である。
【図４】本発明の携帯端末装置の簡略構成図である。
【図５】携帯電話に光学式センサを搭載したときの問題点を説明する説明図である。
【発明を実施するための形態】
【００３７】
以下、この発明を図示の実施の形態により詳細に説明する。
【００３８】
（第１の実施形態）
図１Ａは、この発明の光検出半導体装置の一実施形態である断面図を示している。図１Ａに示すように、光検出半導体装置１は、前方に、被検出物４２０が有るか否かを検出する。光検出半導体装置１は、実装基板１０１と、実装基板１０１に実装された発光素子１０２、受光素子１０３およびＩＣ１０４と、発光素子１０２および受光素子１０３の前方に配置された偏光手段１００と、偏光手段１００の前方に配置された透光性の窓部１０９とを有する。
【００３９】
上記実装基板１０１は、セラミックなどから構成されている。上記発光素子１０２は、赤外光の出射光を前方に発光する。上記受光素子１０３は、発光素子１０２から発光された出射光が被検出物４２０で反射されて生成される反射光Ｌ１を前方から受光する。
【００４０】
上記ＩＣ１０４は、上記発光素子１０２および上記受光素子１０３を制御する。ＩＣ１０４は、受光素子１０３の受光量に基づいて被検出物４２０の有無を判断する判断部１０４ａを有する。この判断部１０４ａは、受光素子１０３での受光電流を受光電圧に変換し、この受光電圧を予め設定された閾値電圧と比較することによって、被検出物４２０の有無を判断する。
【００４１】
上記発光素子１０２は、透明で透光性を有する透光樹脂部１０５により、封止される。上記ＩＣ１０４および上記透光樹脂部１０５は、遮光性を有する遮光樹脂部１０６により、封止される。上記受光素子１０３は、遮光樹脂部１０６の孔部１０６ａ内に位置する。
【００４２】
上記窓部１０９は、上記偏光手段１００と間隔をあけて配置される。窓部１０９は、上記発光素子１０２の出射光、および、上記被検出物４２０からの反射光Ｌ１を透過する。窓部１０９は、例えば他の部材であるパネル１０８に面一状に、取り付けられる。窓部１０９は、例えばアクリルやガラスから構成されている。窓部１０９は、出射光の強度、窓部１０９の透過率、発光素子１０２と窓部１０９の位置関係などにより、発光素子１０２からの出射光の一部を鏡面反射させる可能性を有する。
【００４３】
上記偏光手段１００は、特定の偏光方向を有する光を通過させる。偏光手段１００は、発光素子１０２の前方に配置された発光側偏光素子１０７と、受光素子１０３の前方に配置され受光側偏光素子１１０とを備える。
【００４４】
上記発光側偏光素子１０７は、発光素子１０２の光軸と交差するように、透光樹脂部１０５上に配置される。上記受光側偏光素子１１０は、受光素子１０３の光軸と交差し、遮光樹脂部１０６の孔部１０６ａを塞ぐように、遮光樹脂部１０６上に配置される。
【００４５】
上記受光側偏光素子１１０は、遮光樹脂部１０６の孔部１０６ａを塞ぐ蓋構造として、用いられているため、受光素子１０３の周囲を、樹脂が存在しない空間領域１０５ａとできる。このように、受光素子１０３を封止する樹脂を不要とできるため、受光素子１０３を封止する樹脂と実装基板１０１との間の剥離等の問題が発生しない。これによって、信頼性が格段に向上し、また、使用する樹脂が減り、安価な光検出半導体装置とできる。なお、発光素子１０２の周囲の樹脂を除去すると、発光素子１０２の信頼性が損なわれるため、発光素子１０２を封止する透光樹脂部１０５は必要となる。
【００４６】
図１Ａと図１Ｂに示すように、上記発光側偏光素子１０７の偏光軸と、上記受光側偏光素子１１０の偏光軸とは、異なる。発光側偏光素子１０７の偏光軸と、受光側偏光素子１１０の偏光軸とは、９０°で交差する。図１Ｂでは、窓部１０９を省略して描いている。
【００４７】
ここで、光が偏光素子を通過すると、偏光素子が光の振動を通過させる偏光軸（透過軸ともいう）に対して平行な方向の振動は通過するが、透過軸に垂直な方向の振動は吸収されて、通過できない。これにより、一定方向のみに振動する光が得られる。この光を直線偏光という。そして、直線偏光の進行方向に垂直に交差するように、他の偏光素子を置き、他の偏光素子を回転させると、他の偏光素子の透過軸と直線偏光の振動方向が平行なときは、光はほとんど透過するが、振動方向と透過軸が垂直のときは、遮断される。
【００４８】
上記偏光素子１０７，１１０の作用を説明すると、上記発光素子１０２から出た出射光は、発光側偏光素子１０７を透過して、直線偏光となる。この出射光は上記窓部１０９で反射されて、不要な反射光Ｌ２が生成される。
【００４９】
そして、不要な反射光Ｌ２は、受光側偏光素子１１０へ入射する。窓部１０９での反射は、鏡面反射と同等となるため、不要な反射光Ｌ２の直線偏光の向きは、出射光の直線偏光の向きと変わらない。受光側偏光素子１１０の偏光軸は、発光側偏光素子１０７の偏光軸と９０°異なるため、不要な反射光Ｌ２は、受光側偏光素子１１０を透過することができない。
【００５０】
一方、上記光検出半導体装置１が検出すべき被検出物４２０は、人間の皮膚などの拡散反射物体であるため、発光素子１０２から出た出射光が窓部１０９を透過して被検出物４２０で反射されて生成される必要な反射光Ｌ１は、直線偏光とならない。このため、必要な反射光Ｌ１には、受光側偏光素子１１０を透過できる成分が存在し、必要な反射光Ｌ１は、受光素子１０３に入射する。
【００５１】
つまり、上記偏光手段１００は、受光素子１０３が、発光素子１０２から発光された出射光が窓部１０９で反射されて生成される不要な反射光Ｌ２を、受光することを抑制しつつ、受光素子１０３が、発光素子１０２から発光された出射光が被検出物４２０で反射されて生成される反射光Ｌ１を受光するように、構成されている。
【００５２】
上記構成の光検出半導体装置１によれば、上記発光素子１０２から発光された上記出射光が上記窓部１０９で反射されて不要な反射光Ｌ２が生成されても、この不要な反射光Ｌ２は、上記偏光手段１００によって、受光素子１０３に受光され難くなる。これによって、不要な反射光Ｌ２に対する受光素子１０３の受光量を低減できる。
【００５３】
一方、上記受光素子１０３は、上記偏光手段１００によって、上記発光素子１０２から発光された上記出射光が上記被検出物４２０で反射されて生成される上記反射光Ｌ１を受光して、必要な反射光Ｌ１に対する受光素子１０３の受光量を維持できる。
【００５４】
したがって、上記判断部１０４ａは、不要な反射光Ｌ２でなく必要な反射光Ｌ１に対する上記受光素子１０３の受光量に基づいて、上記被検出物４２０の有無を正確に判断することができる。このように、被検出物４２０でない窓部１０９を検出して被検出物有りとする誤検出の発生を防止する。
【００５５】
要するに、本発明では、偏光手段１００を窓部１０９から離隔して配置しているため、発光素子１０２からの出射光が窓部１０９で反射しこの反射光Ｌ２が受光素子１０３に入射される可能性が大きくなっている。そこで、偏光手段１００を上記構成とすることで、不要反射光Ｌ２の受光素子１０３への入射を抑制する。
【００５６】
また、上記偏光手段１００は、上記発光側偏光素子１０２と上記受光側偏光素子１０３とを備えるので、２つの偏光素子１０２，１０３によって、窓部１０９から反射される不要な反射光Ｌ２と、被検出物４２０で反射される必要な反射光Ｌ１とを、一層明確に区別できる。したがって、窓部１０９を被検出物４２０として検出する誤検出の発生を一層確実に防止できる。
【００５７】
（第２の実施形態）
図２は、この発明の光検出半導体装置の第２の実施形態を示している。上記第１の実施形態と相違する点を説明すると、この第２の実施形態では、偏光手段の構成が相違する。なお、上記第１の実施形態と同一の符号は、上記第１の実施形態と同じ構成であるため、その説明を省略する。
【００５８】
図２に示すように、この光検出半導体装置１Ａでは、偏光手段２００は、受光素子１０３の前方に配置される受光側偏光素子２１０を備える。
【００５９】
この偏光素子２１０の作用について説明する。発光素子１０２から出た出射光のうち、ブリュースター角で窓部１０９に入射し窓部１０９で反射した反射光Ｌ２は、ｐ偏光の反射率が０となり、ｓ偏光のみとなる。
【００６０】
このため、ｐ偏光の光のみを受光素子１０３に届くように、偏光素子２１０の向きを合わせることで、ブリュースター角で窓部１０９に入射し窓部１０９で反射したｓ偏光の反射光Ｌ２を、偏光素子２１０によって、受光素子１０３に受光することを抑制することができる。
【００６１】
なお、上記偏光素子２１０を吸収型偏光素子とすると、偏光素子２１０を小型、軽量、安価とできる。ここで、吸収型偏光素子とは、一方の偏光方向の電磁波を吸収することにより偏光方向を決定するものである。また、窓部１０９からの不要反射光Ｌ２を偏光素子２１０で吸収できるため、反射光の抑制効果は、より向上させることができる。
【００６２】
したがって、上記偏光手段２００は、上記受光側偏光素子２１０を備えるので、１つの偏光素子２１０によって、窓部１０９から反射される不要な反射光Ｌ２と、被検出物４２０で反射される必要な反射光Ｌ１とを、区別する。したがって、偏光素子２１０の数量を低減できて、装置の小型化および製造コストの低減を図ることができる。
【００６３】
（第３の実施形態）
図３は、この発明の光検出半導体装置の第３の実施形態を示している。上記第１の実施形態と相違する点を説明すると、この第３の実施形態では、偏光手段の構成が相違する。なお、上記第１の実施形態と同一の符号は、上記第１の実施形態と同じ構成であるため、その説明を省略する。
【００６４】
図３に示すように、この光検出半導体装置１Ｂでは、偏光手段３００は、発光素子１０２の前方に配置される発光側偏光素子３０７と、受光素子１０３の前方に配置される受光側偏光素子３１０とを備える。
【００６５】
上記発光側偏光素子３０７および上記受光側偏光素子３１０は、液晶フィルタから構成されている。この液晶フィルタを駆動するため、偏光素子３０７，３１０のそれぞれに接続する電極３１１，３１２を設けている。
【００６６】
この偏光素子３０７，３１０の液晶フィルタでは、規則的に配列した液晶分子に電場をかけることによって、特定の偏光方向を有する光を通過させることができる。電場をかけない状態では、液晶の配列方向に沿って偏光面が回転して光が透過する一方、電場をかけると、液晶分子が立ち上がる状態となって、その結果、偏光面は回転せず光は透過しなくなる。これによって、直線偏光を得る。
【００６７】
そして、電場をかけた状態で、上記発光側偏光素子３０７の偏光軸と、上記受光側偏光素子３１０の偏光軸とは、異なる。発光側偏光素子３０７の偏光軸と、受光側偏光素子３１０の偏光軸とは、９０°で交差する。そして、この偏光素子３０７，３１０の作用については、上記第１の実施形態と同様となるため、説明を省略する。
【００６８】
（第４の実施形態）
図４は、この発明の携帯端末装置の一実施形態を示している。図４に示すように、この携帯端末装置は、ケーシング１０と、画面部１１と、マイク部１２と、イヤホン部１３と、上記第１実施形態の光検出半導体装置１と、制御部１４と、アンテナ部１５とを有する。携帯端末装置は、いわゆるスマートホンなどの多機能携帯電話である。なお、上記第１実施形態の光検出半導体装置１の代わりに、上記第２、上記第３実施形態の光検出半導体装置１Ａ，１Ｂであってもよい。
【００６９】
上記画面部１１は、ケーシング１０の一面側（表面側）のパネル１０ａに、面一状に取り付けられる。画面部１１は、タッチパネル機能を有する。
【００７０】
上記マイク部１２および上記イヤホン部１３は、ケーシング１０の上記パネル１０ａに、取り付けられる。マイク部１２およびイヤホン部１３は、画面部１１を挟んで両側に配置される。
【００７１】
上記光検出半導体装置１は、ケーシング１０に取り付けられる。この光検出半導体装置１の発光素子１０２、受光素子１０３、偏光手段１００および判断部１０４ａは、ケーシング１０内に、配置される。光検出半導体装置１の窓部１０９は、ケーシング１０の上記パネル１０ａに、面一状に取り付けられている。
【００７２】
上記制御部１４は、ケーシング１０に取り付けられる。制御部１４は、光検出半導体装置１の判断部１０４ａによって被検出物４２０が有りと判断されたときに、画面部１１のタッチパネル機能を停止する。
【００７３】
上記構成の携帯端末装置によれば、上記光検出半導体装置１と上記制御部１４とを備えるので、この携帯端末装置にて通話するとき、光検出半導体装置１は、被検出物４２０としての人の肌（主に頬）を正確に検出し、光検出半導体装置１によって被検出物４２０が有りと判断されたときに、制御部１４は、画面部１１のタッチパネル機能を停止する。
【００７４】
これによって、通話中に画面部１１に頬が接触しても、画面部１１のタッチパネル機能は、頬の接触によって反応することがなく、タッチパネル機能が誤作動する問題を防止する。
【００７５】
なお、光検出半導体装置１は、被検出物４２０までの距離と被検出物４２０の面積との関係に基づいて、被検出物４２０の有無を判断するようにしてもよく、例えば、被検出物４２０の面積が大きいと検出したときに、被検出物４２０が指でなく頬であると判断して、画面部１１のタッチパネル機能を停止するようにしてもよい。
【００７６】
なお、この発明は上述の実施形態に限定されない。例えば、上記第１から上記第４の実施形態のそれぞれの特徴点を様々に組み合わせてもよい。また、上記発光側偏光素子および上記受光側偏光素子の少なくとも一方の偏光素子は、吸収型偏光素子であってもよい。また、上記発光側偏光素子および上記受光側偏光素子の少なくとも一方の偏光素子は、液晶フィルタから構成されてもよい。
【００７７】
また、上記光検出半導体装置を、モバイル機器やパソコンやテレビなどの電子機器に用いてもよい。光検出半導体装置によって人の肌などの被検出物を正確に検出して、機器の表示などを制御することに活用できる。例えば、光検出半導体装置の窓部の前方に、手をかざすことによって、電子機器の電源のＯＮ−ＯＦＦを切り換えるようにしてもよく、電力の使用を抑制できる。
【符号の説明】
【００７８】
１，１Ａ，１Ｂ  光検出半導体装置
１０  ケーシング
１０ａ  パネル
１１  画面部
１２  マイク部
１３  イヤホン部
１４  制御部
１５  アンテナ部
１０１  実装基板
１０２  発光素子
１０３  受光素子
１０４  ＩＣ
１０４ａ  判断部
１０５  透光樹脂部
１０５ａ  空間領域
１０６  遮光樹脂部
１０６ａ  孔部
１００，２００，３００  偏光手段
１０７，３０７  発光側偏光素子
１１０，２１０，３１０  受光側偏光素子
１０８  パネル
１０９  窓部
３１１，３１２  電極
４２０  被検出物
Ｌ１  必要な反射光
Ｌ２  不要な反射光
【図１Ａ】
2012253127.tif 000003
【図１Ｂ】
2012253127.tif 000004
【図２】
2012253127.tif 000005
【図３】
2012253127.tif 000006
【図４】
2012253127.tif 000007
【図５】
2012253127.tif 000008